(57)【要約】【課題】比較的簡単な構成で打席板の傾斜角度と傾斜方向を調節することができ、低廉化及び小型化を図ることが可能なゴルフ練習台を提供する。【解決手段】ゴルフ練習台１は、打席に配設される台座２と、練習者の足載せ台として使用される打席板３と、打席板３と台座２との間に介装され、打席板３を支持するとともに、台座２に対して回動可能に載置された回動支持機構４とを具備する。また、回動支持機構４は、打席板３の底面に対して回動可能状態で当接する上部当接部材１２と、台座２の上面に対して回動可能状態で当接する下部当接部材１３と、下部当接部材１３の一端側に対して上部当接部材１２をヒンジ接続するヒンジ部材１４と、上部当接部材１２の他端側を昇降させることにより上部当接部材１２の傾斜角度を可変させる傾斜角度調節機構１５とを有する。【選択図】        図２
2006218136.tif 000002
【特許請求の範囲】
【請求項１】
打席に配設される台座と、
該台座の上方に配設され練習者の足載せ台として使用される打席板と、
該打席板と前記台座との間に介装され、前記打席板を支持するとともに、軸線方向を鉛直方向とし前記台座に対して回動可能に載置された回動支持機構と
を具備し、
前記回動支持機構は、
前記打席板の底面に対して固定状態で当接する上部当接部材と、
前記台座の上面に対して回動可能状態で当接する下部当接部材と、
前記上部当接部材及び前記下部当接部材の一端側に配設され、前記下部当接部材に対して前記上部当接部材をヒンジ接続するヒンジ部材と、
前記上部当接部材及び前記下部当接部材の他端側に配設され、前記下部当接部材に対して前記上部当接部材を傾斜させるとともに、前記上部当接部材の他端側を昇降させることにより前記上部当接部材の傾斜角度を可変させる傾斜角度調節機構と
を有することを特徴とするゴルフ練習台。
【請求項２】
打席に配設される台座と、
該台座の上方に配設され練習者の足載せ台として使用される打席板と、
該打席板と前記台座との間に介装され、前記打席板を支持するとともに、軸線方向を鉛直方向とし前記台座に対して回動可能に載置された回動支持機構と、
前記打席板の回転動作を阻止する回転阻止部材と
を具備し、
前記回動支持機構は、
前記打席板の底面に対して回動可能状態で当接する上部当接部材と、
前記台座の上面に対して回動可能状態で当接する下部当接部材と、
前記上部当接部材及び前記下部当接部材の一端側に配設され、前記下部当接部材に対して前記上部当接部材をヒンジ接続するヒンジ部材と、
前記上部当接部材及び前記下部当接部材の他端側に配設され、前記下部当接部材に対して前記上部当接部材を傾斜させるとともに、前記上部当接部材の他端側を昇降させることにより前記上部当接部材の傾斜角度を可変させる傾斜角度調節機構と
を有することを特徴とするゴルフ練習台。
【請求項３】
前記回動支持機構を回動させる回動駆動手段と、
前記上部当接部材の他端側を昇降させる昇降駆動手段と、
前記打席板の傾斜方向及び傾斜角度を設定操作するための操作手段と、
該操作手段によって設定された傾斜方向及び傾斜角度に基づいて、前記回動駆動手段及び前記昇降駆動手段を制御し、前記回動支持機構の回転位置及び前記上部当接部材の傾斜角度を調節する傾斜状態調節制御手段と
をさらに具備することを特徴とする請求項１または請求項２に記載のゴルフ練習台。
【発明の詳細な説明】
【技術分野】
【０００１】
本発明は、ゴルフ練習台に関するものであり、特に、ゴルフの練習に用いられる足場であって、その傾斜方向及び傾斜角度を任意に調節可能なゴルフ練習台に関するものである。
【背景技術】
【０００２】
従来、ゴルフ練習場では、水平に設置された打席板を足場としてショットの練習が行われている。ところが、実際のゴルフコースでは、急な丘陵などのように傾斜の地形が多く設けられていることから、このような斜面におけるショット（例えば前上がりや右下がり）をゴルフ練習場で手軽に行えることが望まれている。
【０００３】
そこで、例えば特許文献１に示すように、打席板（足場部材）の各コーナー部分に、複数の傾斜調整用シリンダを備え、各シリンダの伸縮長さを調整することにより、打席板の傾斜を多様に変化させる構成のゴルフ練習台が提案されている。つまり、傾斜調整用シリンダ等の昇降機構を用い、それぞれの昇降機構を作動させることにより、打席板を前後左右に傾斜させるものである。
【特許文献１】特開２０００−５１４２４号
【発明の開示】
【発明が解決しようとする課題】
【０００４】
しかし、上記のゴルフ練習台によれば、複数の昇降機構を独立して作動させなければならないため、構造が大掛かりとなるとともに、安価に提供することができなかった。また、複数の昇降装置の高さ（例えば複数の傾斜調整用シリンダの長さ）を変化させることで傾斜面を構成することから、傾斜角度及び傾斜方向を制御する場合には、それぞれの昇降装置の高さを演算によって求め、個々に制御しなければならず、制御処理が複雑になっていた。
【０００５】
そこで、本発明は、上記の実状に鑑み、比較的簡単な構成で打席板の傾斜角度と傾斜方向を調節することができ、低廉化及び小型化を図ることが可能なゴルフ練習台の提供を課題とするものである。
【課題を解決するための手段】
【０００６】
本発明にかかるゴルフ練習台は、「打席に配設される台座と、該台座の上方に配設され練習者の足載せ台として使用される打席板と、該打席板と前記台座との間に介装され、前記打席板を支持するとともに、軸線方向を鉛直方向とし前記台座に対して回動可能に載置された回動支持機構とを具備し、前記回動支持機構は、前記打席板の底面に対して固定状態で当接する上部当接部材と、前記台座の上面に対して回動可能状態で当接する下部当接部材と、前記上部当接部材及び前記下部当接部材の一端側に配設され、前記下部当接部材に対して前記上部当接部材をヒンジ接続するヒンジ部材と、前記上部当接部材及び前記下部当接部材の他端側に配設され、前記下部当接部材に対して前記上部当接部材を傾斜させるとともに、前記上部当接部材の他端側を昇降させることにより前記上部当接部材の傾斜角度を可変させる傾斜角度調節機構とを有する」ものである。
【０００７】
本発明によれば、打席板と台座との間には、台座に回動可能に載置され、且つ打席板の底面に固定された回動支持機構が設けられているため、台座に対して回動支持機構を回転させると、打席板は回動支持機構とともに回転する。ところで、回動支持機構は、打席板の底面に当接する上部当接部材と、台座の上面に当接する下部当接部材とを備え、夫々の当接部材の一端側が、ヒンジ部材によってヒンジ接続されているため、その接続部分を支点とし、上部当接部材を下部当接部材に対して傾斜させることが可能になる。特に、上部当接部材及び下部当接部材の他端側（ヒンジ接続されている箇所と反対側の部位）には、傾斜角度調節機構が配設されており、傾斜角度調節機構は、上部当接部材の他端側を昇降させることにより、上部当接部材の傾斜角度を変化させる。
【０００８】
したがって、一つの傾斜角度調節機構によって上部当接部材の傾斜角度、すなわち打席板の傾斜角度が調節され、また、傾斜角度を調節した状態でを回動させることによって傾斜角度調節機構の位置、すなわち打席板の傾斜方向が調節される。このように、上部当接部材の傾斜角度を変化する機構と、全体を回動させる機構とを、別の機構によって構成したことにより、比較的簡単な構成で、打席板の傾斜角度と傾斜方向を調節することが可能になる。
【０００９】
ところで、上記の構成によれば、打席板が回動支持機構とともに回転することとなるが、この場合、以下の不都合を生じる恐れがある。すなわち、打席板の傾斜方向を変えると打席板に対する練習者の足踏み位置が変化するため、打席用マットを打席板の一部のみに敷設することはできない。なお、打席板全体にマットを敷設するものでは、マットの一部が破損または磨耗した場合でもマット全体を交換しなければならず、維持管理に多額の費用を要することになる。また、上記の構成を採用する場合には、ショットの際に打席板が回転しないように、回動支持機構または打席板の回動を制動する装置、例えばロック装置を設けなければならず、全体の構成が複雑になる恐れがある。
【００１０】
そこで、上記の不都合を解消するため、本発明にかかるゴルフ練習台は、「打席に配設される台座と、該台座の上方に配設され練習者の足載せ台として使用される打席板と、該打席板と前記台座との間に介装され、前記打席板を支持するとともに、軸線方向を鉛直方向とし前記台座に対して回動可能に載置された回動支持機構と、前記打席板の回転動作を阻止する回転阻止部材とを具備し、前記回動支持機構は、前記打席板の底面に対して回動可能状態で当接する上部当接部材と、前記台座の上面に対して回動可能状態で当接する下部当接部材と、前記上部当接部材及び前記下部当接部材の一端側に配設され、前記下部当接部材に対して前記上部当接部材をヒンジ接続するヒンジ部材と、前記上部当接部材及び前記下部当接部材の他端側に配設され、前記下部当接部材に対して前記上部当接部材を傾斜させるとともに、前記上部当接部材の他端側を昇降させることにより前記上部当接部材の傾斜角度を可変させる傾斜角度調節機構とを有する」ものとすることができる。
【００１１】
打席板と台座との間に回動支持機構が設けられていることは上述の発明と同様であるが、本発明では回動支持機構の上部当接部材が、打席板に対して回動可能な状態で当接されている。また、台座に対して打席板の回転動作を阻止する回転阻止部材が設けられている。このため、打席板及び台座は回転することなく、これらの内部に介装された回動支持機構のみが回転することになる。この場合、上部当接部材を傾斜させた状態で回動支持機構を回転させると、上部当接部材の傾斜方向が変化し、ひいては上部当接部材に当接する打席板の傾斜方向が変化する。
【００１２】
つまり、打席板を回転させることなく、打席板の傾斜角度及び傾斜方向を調節することが可能になる。このため、打席板の傾斜方向が変わっても、練習者の足踏み位置は変わらず、回転することのない打席板の上で安心して練習させることが可能になる。
【００１３】
また、本発明にゴルフ練習台において、「前記回動支持機構を回動させる回動駆動手段と、前記上部当接部材の他端側を昇降させる昇降駆動手段と、前記打席板の傾斜方向及び傾斜角度を設定操作するための操作手段と、該操作手段によって設定された傾斜方向及び傾斜角度に基づいて、前記回動駆動手段及び前記昇降駆動手段を制御し、前記回動支持機構の回転位置及び前記上部当接部材の傾斜角度を調節する傾斜状態調節制御手段とをさらに具備する」構成を採用してもよい。
【００１４】
これによれば、操作手段によって打席板の傾斜方向及び傾斜角度を設定操作すると、傾斜状態調節制御手段によって回動駆動手段及び昇降駆動手段が制御され、上部当接部材の他端側を傾斜角度に応じた高さまで昇降させるとともに、回動支持機構を傾斜方向に応じた位置まで回動させる。このように動力を利用して傾斜方向及び傾斜角度を調節することから、比較的容易に且つ手軽に調節することが可能になる。
【発明の効果】
【００１５】
このように、本発明のゴルフ練習台では、打席板の傾斜方向を調節するための回動支持機構と、打席板の傾斜角度を調節するための傾斜角度調節機構とを組合わせたことにより、傾斜角度調節機構を極めて簡単な構成とすることができ、装置の小型化及び低廉化が可能になる。
【発明を実施するための最良の形態】
【００１６】
以下、本発明の一実施形態であるゴルフ練習台について、図１乃至図４に基づき説明する。図１はゴルフ練習台の外観を示す斜視図、図２はゴルフ練習台の構成を示す断面図、図３はゴルフ練習台の動作を示す説明図、図４は制御装置の機能的構成を示すブロック図である。
【００１７】
本実施形態のゴルフ練習台１は、ゴルフ練習場の各打席に配設され、練習者の足場の傾斜方向及び傾斜角度を任意に調節可能とするものである。図１及び図２に示すように、主な構成として、基礎となる台座２と、台座の上方に配設され練習者の足載せ台として使用される打席板３と、台座２と打席板３との間に介装され打席板３を支持する回動支持機構４と、回動支持機構４の周囲を遮蔽する伸縮カバー５とを具備している。
【００１８】
打席板３の上面には、打席用人工芝マット６と練習用マット７とが敷設されている。打席用人工芝マット６は、ゴルフボールをショットする際に、練習者が足を載せる部位に敷設され、練習用マット７はゴルフボールを載置する部位に敷設されている。なお、図１では、円形の練習用マット７と、その左側に配設された長方形の打席用人工芝マット６とを示しているが、各マット６，７の形状は特に限定されるものではなく、また、練習用マット７の左右両側に打席用人工芝マット６が敷設されるようにしてもよい。
【００１９】
また、打席板３には、操作手段８が表面を露出させた状態で埋め込まれており、詳細は後述するが、この操作手段８によって、打席板３の傾斜角度及び傾斜方向を設定することが可能となっている。
【００２０】
台座２は、扁平な箱状の筐体から構成されている。台座２の上面中央部分には、貫通孔（図示しない）が穿設されており、回動支持機構４の下面から下方に突出する回転軸部１０が貫通孔を通して台座２内に突出している。また、台座２内には、回転軸部１０に対して回転力を付与するモータ等の回動駆動手段１１が配設されている。なお、図示しないが、回動駆動手段１１と回転軸部１０との間には、回動駆動手段１１に連結され回転可能に支持されたウォーム、及び回転軸部１０の外周面に連結されるとともにウォームに噛合するウォームホイールを有するウォーム歯車機構が介装されている。
【００２１】
伸縮カバー５は、合成樹脂等で形成された蛇腹状の部材であり、上端が打席板３の周面（特に上端部分）に接続され、下端が台座２の周面（特に下端部分）に接続されている。このため、伸縮カバー５は、打席板３の傾斜によって台座２と打席板３との間隔が変化すると、それに応じて伸縮することとなり、台座２と打席板３との間隔に拘わらず、回動支持機構４の周囲と、台座２及び打席板３の周面とを遮蔽する。また、伸縮カバー５は、台座２と打席板３とを連結することにより、台座２に対して打席板３が回転することを阻止する回転阻止部材としても機能している。
【００２２】
回動支持機構４は、軸線方向を鉛直方向とし台座２の上面に回動可能に載置されており、打席板３の下面に配設された上部当接部材１２と、台座２の上面に載置された下部当接部材１３と、上部当接部材１２及び下部当接部材１３の間に設けられたヒンジ部材１４及び傾斜角度調節機構１５とから構成されている。
【００２３】
各部材の構成について詳細に説明する。上部当接部材１２は、打席板３の底面に対して回動可能状態で当接する部材であり、内側リング部材１８と、その外周に複数の鋼球１７を介して嵌合された外側リング部材１９と、内側リング部材１８の上面に固定された円板状のターンテーブル２０とから構成され、外側リング部材１９に対して内側リング部材１８及びターンテーブル２０が回転可能に連結されている。ここで、ターンテーブル２０は打席板３の底面に固定されていることから、外側リング部材１９は、打席板３に対して回転可能となる。
【００２４】
下部当接部材１３は、台座２の上面に対して回動可能状態で当接する部材であり、上部当接部材１２と同様の構成を有している。つまり、上部当接部材１２の天地を反転させたものが下部当接部材１３に相当し、ターンテーブル２０が台座２の上面に固定されることで、外側リング部材１９が台座２に対して回動可能になっている。また、外側リング部材１９の上面には円板状の回転板２９が固定されており、外側リング部材１９とともに回転する。この回転板２９の中心には、前述した回転軸部１０が設けられており、回動駆動手段１１によって回転軸部１０に回転力が加わると、回転板２９が一定方向に回転する。
【００２５】
ヒンジ部材１４は、蝶番等から構成され、上部当接部材１２における外側リング部材１９と、下部当接部材１３における回転板２９との一部分（図２では紙面左側端部：便宜上、「一端」とする）にスペーサ１６を介して取付けられている。つまり、下部当接部材１３に対して上部当接部材１２をヒンジ接続することにより、ヒンジ部材１４を支点として上部当接部材１２を鉛直方向に回動させることを可能にしている。
【００２６】
一方、傾斜角度調節機構１５は、上部当接部材１２及び下部当接部材１３における他端側（すなわち上部当接部材１２の径方向においてヒンジ部材１４と対向する位置）に配設されている。この傾斜角度調節機構１５は、上部当接部材１２における他端側を昇降可能な状態にするものであり、上部当接部材１２の外側リング部材１９及び下部当接部材１３の回転板２９に固定された一対の取付部２１と、中央の支点を中心に上下方向に開閉する「く」の字形の開閉機構部２２と、両端が開閉機構部２２及び各取付部２１に夫々軸支され開閉機構部２２の動作を取付部２１に伝達する一対のアーム２３と、開閉機構部２２に取付けられ開閉機構部２２を開閉動作させる油圧シリンダ２４とから構成されている。なお、図示しないが、油圧シリンダ２４は、油圧ポンプ等から構成された昇降駆動手段２５（図４参照）に、供給管を介して接続されている。この供給管は、回転軸部１０の軸方向に貫通した挿通孔を通って回動支持機構４の内部に挿入され、さらに出口側開口部が水平方向に回転自在のＬ形コネクタを介して油圧シリンダ２４まで配管されている。つまり、回動支持機構４が回転しても、昇降駆動手段２５から油圧シリンダ２４に油圧を供給することが可能になっている。
【００２７】
また、図４に示すように、本例のゴルフ練習台１には、回動支持機構４の回転位置、すなわち傾斜角度調節機構１５の位置を検出する回転位置検出手段２６と、傾斜角度調節機構１５が接続された部分における上部当接部材１２の高さを検出する高さ検出手段２７とが配設されている。なお、上部当接部材１２の高さを検出する代わりに開閉機構部２２の開閉角度または上部当接部材１２の傾斜角度を検出するようにしてもよい。
【００２８】
ところで、ゴルフ練習台１には、打席板３の傾斜方向及び傾斜角度を調節するための制御装置が備えられている。制御装置は、図４に示すように、ＣＵＰ等で構成された傾斜状態調節制御手段２８を有しており、この傾斜状態調節制御手段２８の入力端子には、操作手段８、回転位置検出手段２６、及び高さ検出手段２７が接続され、傾斜状態調節制御手段２８の出力端子には、回動駆動手段１１及び昇降駆動手段２５が夫々接続されている。つまり、傾斜状態調節制御手段２８は、操作手段８において打席板３の傾斜角度が設定されると、その傾斜角度に対応する上部当接部材１２の他端の高さを演算によって算出し、算出された高さ（設定値）と高さ検出手段２７によって検出された高さとを比較する。そして、互いに異なっている場合には、検出される高さが設定値に一致するように昇降駆動手段２５を制御し、上部当接部材１２の他端を昇降させる。また、傾斜状態調節制御手段２８は、操作手段８によって打席板３の傾斜方向が設定されると、傾斜方向に対応する傾斜角度調節機構１５の位置を求め、求められた位置（方位）と、回転位置検出手段２６によって検出された回転位置とを比較する。そして、互いに異なっている場合には、検出される回転位置が設定値に一致するように回動駆動手段１１を制御し、回動支持機構４を回転させる。
【００２９】
次に、本例のゴルフ練習台１における動作について、図２及び図３を基に説明する。図２に示す状態、すなわち打席板３が水平である状態から、油圧シリンダ２４を動作させ、開閉機構部２２、アーム２３、及び取付部２１を介して、打席板３の他端側を上方に付勢すると、図３（ａ）に示すように、上部当接部材１２は、ヒンジ部材１４を支点として鉛直方向に向かって回動する。これにより、上部当接部材１２及びそれに支持された打席板３が設定された任意の角度だけ傾斜する。
【００３０】
また、図３（ａ）に示す状態から、回動駆動手段１１を動作させ、回転軸部１０に回転力を付与すると、図３（ｂ）に示すように、回動支持機構４全体（内側リング部材１８及びターンテーブル２０を除く）が一定方向に所定の角度だけ回転する。これにより、台座２に対する傾斜角度調節機構１５の位置が変化し、打席板３の傾斜方向が変化する。なお、打席板３は、伸縮カバー５を介して台座２に接続されているため、回転することなく、傾斜方向のみが変化する。
【００３１】
このように、本実施形態のゴルフ練習台１によれば、打席板３の傾斜方向を調節するための回動支持機構４と、打席板３の傾斜角度を調節するための傾斜角度調節機構１５とを組合わせたことにより、傾斜角度調節機構１５を「上部当接部材１２の他端のみを昇降させる」という極めて簡単な構成で実現でき、ゴルフ練習台１の小型化及び低廉化が可能になる。
【００３２】
また、本実施形態のゴルフ練習台１によれば、回動支持機構４の上部当接部材１２は、打席板３に対して回動可能な状態で当接され、しかも打席板３は伸縮カバー５によって回転動作が阻止されているため、回動支持機構４のみを円滑に回転させることができる。このため、打席板３を回転させることなく、打席板３の傾斜角度及び傾斜方向を調節することが可能になる。つまり、打席板３の傾斜方向が変わっても、練習者の足踏み位置を変えることなく、定位置でショットの練習をさせることが可能になる。したがって、打席用人工芝マット６を一部分のみに敷設することが可能になり、打席用人工芝マット６の交換等における経済的な負担を軽減できる。また、打席板３が回転しないため、安定した足場の上で、安心して練習させることができる。
【００３３】
さらに、本実施形態のゴルフ練習台１によれば、台座２の上面に対して、下部当接部材１３を回動可能に載置するため、打席板３及び回動支持機構４の荷重と練習者の体重とが、台座２の上面全体で支えられる。したがって、台座２に対する荷重が分散されるとともに、回転軸部１０に荷重が加わらないため、荷重に対する強度を高めることが可能になる。
【００３４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３５】
すなわち、上記のゴルフ練習台１では、打席板３の回転を阻止し、回動支持機構４のみを回転させるものを示したが、図５のゴルフ練習台３０に示すように、上部当接部材３１を一枚の板材から構成し、打席板３の底面に対して固定させるようにしてもよい。なお、この場合、伸縮カバー５に相当する部材、すなわち打席板３の回転を阻止する部材は備えられておらず、また、打席板３の上面には、打席用及びショット用を兼用するマット３２に略全体に亘って敷設されている。これによれば、回動駆動手段１１を動作させると、打席板３が回動支持機構４とともに回転し、打席板３の傾斜方向が変化する。
【００３６】
また、上記のゴルフ練習台１では、回転位置検出手段２６及び高さ検出手段２７によって検出される検出位置が、操作手段８において設定された傾斜角度及び傾斜方向に一致するように、回動駆動手段１１及び昇降駆動手段２５を駆動制御するものを示したが、例えば、操作手段８に回転指示用の押しボタンと昇降指示用の押しボタンとを設け、これらの押しボタンを押圧操作している間だけ、回動駆動手段１１または昇降駆動手段２５を駆動させるようにしてもよい。これによれば、位置を視認しながら傾動及び回動させることから、回転位置検出手段２６及び高さ検出手段２７が不要になるとともに、傾斜状態調節制御手段２８における処理がさらに簡単になる。
【００３７】
また、上記のゴルフ練習台１では、傾斜角度及び傾斜方向の調節を動力によって行うものを示したが、手動で行わせるようにしてもよい。但し、前記実施形態のように、動力を利用して傾斜方向及び傾斜角度を調節するようにすれば、極めて容易に且つ手軽に調節することが可能になり、様々な場面を想定した豊富な内容の練習を効率的に行わせることができる。
【００３８】
さらに、上記のゴルフ練習台１では、傾斜角度調節機構１５としてアーム型の油圧シリンダ２４を備えるものを示したが、ピストンロッドが延出方向に出没可能なシリンダを用いて、上部当接部材３１の他端側を昇降させるようにしてもよい。但し、前記実施形態のように、油圧シリンダ２４、及び「く」の字形に開閉可能な開閉機構部２２を備えるようにすれば、上部当接部材１２と下部当接部材１３との間隔、すなわち回動支持機構４の厚みを比較的薄く形成することができ、ゴルフ練習台１を一層小型化することが可能になる。
【００３９】
また、上記のゴルフ練習台１では、回動支持機構４の下面中央から下方に突出する回転軸部１０を設け、その回転軸部１０に回転力を付与するものを示したが、回動支持機構４の回転板２９の周面に環状のベルトを巻き掛け、そのベルトに回転力を付与するようにしてもよく、回転板２９の外周面に外歯を形成し、歯車を介して回転力を付与するようにしてもよい。
【図面の簡単な説明】
【００４０】
【図１】本発明のゴルフ練習台の外観を示す斜視図である。
【図２】ゴルフ練習台の構成を示す断面図である。
【図３】ゴルフ練習台の動作を示す説明図である。
【図４】ゴルフ練習台の制御装置における機能的構成を示すブロック図である。
【図５】ゴルフ練習台の他の例を示す断面図である。
【符号の説明】
【００４１】
１，３０  ゴルフ練習台
２  台座
３  打席板
４  回動支持機構
５  伸縮カバー（回転阻止部材）
８  操作手段
１１  回動駆動手段
１２，３１  上部当接部材
１３  下部当接部材
１４  ヒンジ部材
１５  傾斜角度調節機構
２５  昇降駆動手段
２８  傾斜状態調節制御手段
【図１】
2006218136.tif 000003
【図２】
2006218136.tif 000004
【図３】
2006218136.tif 000005
【図４】
2006218136.tif 000006
【図５】
2006218136.tif 000007